(57)【要約】【課題】シフトおよび除算演算を行う命令のためのコンピュータ・プログラム、コンピュータ・システムおよびコンピュータ実施方法を提供する。【解決手段】シフトおよび除算演算を行う命令が実行される。実行は、値を指定された方向に選択された量だけシフトして被除数を与えることを含み、選択された量はユーザ定義される。被除数は除数によって除算されて商を求める。商の少なくともサブセットが結果として選択される。結果は、コンピューティング環境内での処理において使用されることになる。【選択図】図８
2019530097.tif 000002
【特許請求の範囲】
【請求項１】
コンピューティング環境内での処理を容易にするためのコンピュータ・プログラム製品であって、
処理回路によって読み取り可能なコンピュータ可読記憶媒体であり、方法を実行するための、前記処理回路による実行のための命令を記憶する前記コンピュータ可読記憶媒体を含み、前記方法は、
実行のために命令を取得することであり、前記命令はシフトおよび除算演算を行うものである、前記取得することと、
前記命令を実行することと、を含み、前記実行は、
値を指定された方向に選択された量だけシフトして被除数を与えることであり、前記選択された量はユーザ定義される、前記与えることと、
前記被除数を除数で除算して商を求めることと、
前記商の少なくともサブセットを結果として選択することと、
前記結果を選択された場所に入れることと、を含み、前記結果は、前記コンピューティング環境内での処理において使用されることになる、コンピュータ・プログラム製品。
【請求項２】
前記値は１０進整数であり、前記商の前記少なくともサブセットは、前記商の選択された数の桁であり、前記選択された数の桁はいくつかの整数桁といくつかの小数桁とを含む、請求項１に記載のコンピュータ・プログラム製品。
【請求項３】
前記実行は、
前記結果の符号を決定することと、
前記符号を前記選択された場所に含めることと
をさらに含む、請求項１に記載のコンピュータ・プログラム製品。
【請求項４】
前記符号の決定は、前記命令によって与えられる制御を調べることを含む、請求項３に記載のコンピュータ・プログラム製品。
【請求項５】
前記制御は、前記命令のマスク・フィールドで与えられる、請求項４に記載のコンピュータ・プログラム製品。
【請求項６】
前記実行は、
前記命令の１つまたは複数のフィールドから前記値を取得することと、
前記値の妥当性を検証することと、
前記検証が前記値が有効であることを示すことに基づいて前記シフトを実行することと
をさらに含む、請求項１に記載のコンピュータ・プログラム製品。
【請求項７】
前記指定された方向は左である、請求項１に記載のコンピュータ・プログラム製品。
【請求項８】
前記実行は、前記命令のフィールドから前記選択された量を取得することをさらに含む、請求項１に記載のコンピュータ・プログラム製品。
【請求項９】
前記選択された場所はレジスタであり、前記レジスタは前記命令の少なくとも１つのフィールドを使用して指定される、請求項１に記載のコンピュータ・プログラム製品。
【請求項１０】
前記少なくとも１つのフィールドは、レジスタ番号を指定するレジスタ・フィールドと、前記レジスタ番号に付加される拡張値を指定する拡張フィールドとを含む、請求項９に記載のコンピュータ・プログラム製品。
【請求項１１】
コンピューティング環境内での処理を容易にするためのコンピュータ・システムであって、
メモリと、
前記メモリと通信するプロセッサと、を含み、前記コンピュータ・システムは方法を実行するように構成され、前記方法は、
実行のために命令を取得することであり、前記命令はシフトおよび除算演算を行うものである、前記取得することと、
前記命令を実行することと、を含み、前記実行は、
値を指定された方向に選択された量だけシフトして被除数を与えることであり、前記選択された量はユーザ定義される、前記与えることと、
前記被除数を除数で除算して商を求めることと、
前記商の少なくともサブセットを結果として選択することと、
前記結果を選択された場所に入れることと、を含み、前記結果は、前記コンピューティング環境内での処理において使用されることになる、コンピュータ・システム。
【請求項１２】
前記値は１０進整数であり、前記商の前記少なくともサブセットは、前記商の選択された数の桁であり、前記選択された数の桁は、いくつかの整数桁といくつかの小数桁とを含む、請求項１１に記載のコンピュータ・システム。
【請求項１３】
前記実行は、
前記結果の符号を決定することと、
前記符号を前記選択された場所に含めることと
をさらに含む、請求項１１に記載のコンピュータ・システム。
【請求項１４】
前記符号の決定は、前記命令によって与えられる制御を調べることを含む、請求項１３に記載のコンピュータ・システム。
【請求項１５】
前記実行は、前記命令のフィールドから前記選択された量を取得することをさらに含む、請求項１１に記載のコンピュータ・システム。
【請求項１６】
コンピューティング環境内での処理を容易にするコンピュータ実装方法であって、
少なくとも１つのプロセッサによって実行のために命令を取得することであり、前記命令はシフトおよび除算演算を行うものである、前記取得することと、
前記命令を実行することと、を含み、前記実行は、
値を指定された方向に選択された量だけシフトして被除数を与えることであり、前記選択された量はユーザ定義される、前記与えることと、
前記被除数を除数で除算して商を求めることと、
前記商の少なくともサブセットを結果として選択することと、
前記結果を選択された場所に入れることと、を含み、前記結果は、前記コンピューティング環境内での処理において使用されることになる、コンピュータ実装方法。
【請求項１７】
前記値は１０進整数であり、前記商の前記少なくともサブセットは、前記商の選択された数の桁であり、前記選択された数の桁は、いくつかの整数桁といくつかの小数桁とを含む、請求項１６に記載のコンピュータ実装方法。
【請求項１８】
前記実行は、
前記結果の符号を決定することと、
前記符号を前記選択された場所に含めることと
をさらに含む、請求項１６に記載のコンピュータ実装方法。
【請求項１９】
前記符号の決定は、前記命令によって与えられる制御を調べることを含む、請求項１８に記載のコンピュータ実装方法。
【請求項２０】
前記実行は、前記命令のフィールドから前記選択された量を取得することをさらに含む、請求項１６に記載のコンピュータ実装方法。
【発明の詳細な説明】
【技術分野】
【０００１】
１つまたは複数の態様は、一般には、コンピューティング環境内での処理に関し、詳細には、そのような処理を向上させることに関する。
【背景技術】
【０００２】
コンピューティング環境のプロセッサ内で実行されるアプリケーションは、プロセッサの動作を制御する。アプリケーションは、プロセッサに命令を伝達するように設計されたプログラミング言語を使用して作成される。様々な種類のプログラミング言語があり、各言語は１つまたは複数の種類のエンコードを使用してデータを表す。
【０００３】
例えば、スケーリングされた１０進整数（スケーリングされた２進化１０進数／スケーリングされたＢＣＤとも知られる）は、多くのＣＯＢＯＬおよびＰＬ／ＩプログラムおよびＤＢ２データベース管理システムにおいて一般的なデータ型である。スケーリングされたＢＣＤ数値は、ＢＣＤ数値に形式記述子を加えたもの（ｎ．ｋ）であり、ＢＣＤ数値は小数点の前にｎ桁を有し、小数点の後にｋ桁（すなわちｋ小数桁）を有するものと解釈され、または１０−ｋが乗じられる１０進整数である。
【０００４】
同じｋパラメータを使用してスケーリングされたＢＣＤデータに対して加算および減算を行うことは、データが正しく整列され、結果が同数の小数桁を有するため、単純である。除算は、２つの数値の整数除算が商の整数部を出力するため、より複雑である。ｋ桁の小数桁が失われる。
【０００５】
例えば、以下の場合：
Ａ＝４４４４．４４、Ｂ＝３３３３．３３、Ｑ＝０００１．３３３
【０００６】
通常の整数除算は商Ｑ＝１を出力するが、小数桁を出力しない。また、ＢＣＤ除算演算を行うための従来のコードはかなり複雑になることがあり、長い演算のシーケンスを必要とする。
【先行技術文献】
【非特許文献】
【０００７】
【非特許文献１】"z/Architecture Principles of Operation," IBM Publication No. SA22-7832-10, March 2015
【非特許文献２】"Power ISA（TM） Version 2.07B," International Business Machines Corporation, April 9, 2015
【発明の概要】
【発明が解決しようとする課題】
【０００８】
シフトおよび除算演算を行う命令のためのコンピュータ・プログラム等を提供する。
【課題を解決するための手段】
【０００９】
コンピューティング環境における処理を容易にするためのコンピュータ・プログラム製品の提供により、従来技術の欠点が克服され、追加の利点がもたらされる。コンピュータ・プログラム製品は、処理回路によって読み取り可能な記憶媒体であり、方法を実行するために処理回路による実行のための命令を記憶する記憶媒体を含む。この方法は、例えば、実行のために命令を取得することを含み、命令は、シフトおよび除算演算を実行するものである。命令は、実行され、実行は、値を指定された方向に選択された量だけシフトして被除数を与えることを含む。選択された量はユーザ定義される。被除数は除数によって除算されて商を求める。商の少なくともサブセットが結果として選択される。結果は選択された場所に入れられ、その結果はコンピューティング環境環境内での処理において使用されることになる。スケーリングされたＢＣＤ除算演算を行う単一の命令の使用は、長い命令シーケンスをなくし、フェッチされ、デコードされ、実行される命令の数を削減することによってパフォーマンスを向上させる。
【００１０】
一例では、値は１０進整数であり、商の少なくともサブセットは商の選択された数の桁である。商の選択された数の桁はいくつかの整数桁といくつかの小数桁とを含む。
【００１１】
また、一実施形態では、実行は、結果の符号を決定することと、符号を選択された場所に含めることとを含む。一例としては、符号の決定は、命令によって与えられる制御を調べることを含む。制御は、例えば命令のマスク・フィールドで与えられる。
【００１２】
さらに、一実施形態では、実行は、命令の１つまたは複数のフィールドから値を取得することと、値の妥当性を検証することと、検証が値が有効であることを示すことに基づいてシフトを行うこととを含む。
【００１３】
例では、指定された方向は左であり、選択された量は命令のフィールドから取得され、選択された場所はレジスタであり、レジスタは命令の少なくとも１つのフィールドを使用して指定される。少なくとも１つのフィールドは、レジスタ番号を指定するレジスタ・フィールドと、レジスタ番号に付加される拡張値を指定する拡張フィールドを含む。
【００１４】
１つまたは複数の態様に関連する方法およびシステムについても本明細書で説明され、特許請求される。また、１つまたは複数の態様に関連するサービスについても本明細書で説明され、特許請求され得る。
【００１５】
その他の特徴および利点も、本明細書に記載の技術によって実現される。その他の実施形態および態様についても本明細書で詳細に説明され、特許請求される態様の一部とみなされる。
【００１６】
１つまたは複数の態様を具体的に示し、本明細書の最後にある特許請求の範囲において例として明確に請求する。上記および１つまたは複数の態様の目的、特徴および利点は、以下の詳細な説明を添付図面とともに読めば明らかになる。
【図面の簡単な説明】
【００１７】
【図１】本発明の１つまたは複数の態様を組み込み、使用するコンピューティング環境の一例を示す図である。
【図２】本発明の一態様による、図１のプロセッサをさらに詳細に示す図である。
【図３】本発明の１つまたは複数の態様を組み込み、使用するコンピューティング環境の別の例を示す図である。
【図４】図３のメモリをさらに詳細に示す図である。
【図５】本発明の一態様による、ベクトル・シフトおよび除算１０進命令の一例を示す図である。
【図６】本発明の一態様による、図５のベクトル・シフトおよび除算１０進命令の即値フィールドの一実施形態を示す図である。
【図７】本発明の一態様による、図５のベクトル・シフトおよび除算１０進命令のマスク・フィールドの一実施形態を示す図である。
【図８】本発明の一態様による、ベクトル・シフトおよび除算１０進命令の実行のブロック図の一例を示す図である。
【図９】ＢＣＤ除算演算の一例を図式的に示す図である。
【図１０】ＢＣＤ除算演算の別の例を図式的に示す図である。
【図１１】本発明の一態様による、ＢＣＤシフトおよび除算演算の一例を図式的に示す図である。
【図１２】本発明の一態様による、ＢＣＤシフトおよび除算演算の一例を図式的に示す図である。
【図１３】本発明の一態様による、ベクトル・シフトおよび除算１０進命令の実行を含むコンピューティング環境における処理を容易にする一例を示す図である。
【図１４】本発明の一態様による、ベクトル・シフトおよび除算１０進命令の実行を含むコンピューティング環境における処理を容易にする一例を示す図である。
【図１５】クラウド・コンピューティング環境の一実施形態を示す図である。
【図１６】抽象化モデル層の一例を示す図である。
【発明を実施するための形態】
【００１８】
１つまたは複数の態様は、長い命令シーケンスを、シフトおよび除算演算を行う単一の命令（例えばハードウェア／ソフトウェア・インターフェースにおける単一のアーキテクテッド・マシン命令）に置き換える機能を提供することによって、コンピューティング環境内での処理を向上させることに関する。一例では、本明細書でベクトル・シフトおよび除算１０進命令と呼ぶ命令が、入力値をユーザ定義された量だけシフトして被除数を提供し、次にその被除数を除数で除算して商を生成する。商の少なくとも一部が結果として提供される。
【００１９】
命令は、例えば、整数桁とｋ桁の小数桁とを有する商を提供する１０進整数除算演算を行い、ここで、ｋは命令への入力パラメータである。ｋは、小数桁を何桁計算するかを指定する。
【００２０】
本発明の１つまたは複数の態様を組み込み、使用するコンピューティング環境の一実施形態について、図１を参照しながら説明する。一例では、コンピューティング環境は、米国ニューヨーク州アーモンクのインターナショナル・ビジネス・マシーンズ・コーポレーションによって提供されるｚ／Ａｒｃｈｉｔｅｃｔｕｒｅに基づく。ｚ／Ａｒｃｈｉｔｅｃｔｕｒｅの一実施形態は、"z/Architecture Principles of Operation," IBM Publication No. SA22-7832-10, March 2015に記載されており、参照によりその全体が本明細書に組み込まれる。Ｚ／ＡＲＣＨＩＴＥＣＴＵＲＥは、米国ニューヨーク州アーモンクのインターナショナル・ビジネス・マシーンズ・コーポレーションの登録商標である。
【００２１】
別の例では、コンピューティング環境は、米国ニューヨーク州アーモンクのインターナショナル・ビジネス・マシーンズ・コーポレーションによって提供されるＰｏｗｅｒ  Ａｒｃｈｉｔｅｃｔｕｒｅに基づく。Ｐｏｗｅｒ  Ａｒｃｈｉｔｅｃｔｕｒｅの一実施形態は、"Power ISA(TM) Version 2.07B," International Business Machines Corporation, April 9, 2015に記載されており、参照によりその全体が本明細書に組み込まれる。ＰＯＷＥＲ  ＡＲＣＨＩＴＥＣＴＵＲＥは、米国ニューヨーク州アーモンクのインターナショナル・ビジネス・マシーンズ・コーポレーションの登録商標である。
【００２２】
コンピューティング環境は、Ｉｎｔｅｌ（Ｒ）ｘ８６アーキテクチャを含むがこれには限定されない他のアーキテクチャに基づいてもよい。他の例も存在する。
【００２３】
図１に示すように、コンピューティング環境１００は、例えば、多くの他の汎用または特殊目的コンピューティング・システム環境または構成とともに動作可能な、例えばコンピュータ・システム／サーバ１２を有するノード１０を含む。コンピュータ・システム／サーバ１２とともに使用するのに適合し得る周知のコンピューティング・システム、環境または構成あるいはその組合せの例としては、パーソナル・コンピュータ（ＰＣ）システム、サーバ・コンピュータ・システム、シン・クライアント、シック・クライアント、手持ち型デバイスまたはラップトップ・デバイス、マルチプロセッサ・システム、マイクロプロセッサ・ベースのシステム、セット・トップ・ボックス、プログラマブル家庭用電子機器、ネットワークＰＣ、ミニコンピュータ・システム、メインフレーム・コンピュータ・システム、および、上記のシステムまたはデバイスのうちのいずれかを含む分散クラウド・コンピューティング環境などがあるが、これらには限定されない。
【００２４】
コンピュータ・システム／サーバ１２について、コンピュータ・システムによって実行されるプログラム・モジュールなどのコンピュータ・システム実行可能命令の一般的な文脈で説明する場合がある。一般には、プログラム・モジュールは、特定のタスクを実行するか、または特定の抽象データ型を実装する、ルーチン、プログラム、オブジェクト、コンポーネント、ロジック、データ構造などを含み得る。コンピュータ・システム／サーバ１２は、通信ネットワークを介して接続されたリモート処理デバイスによってタスクが実行される分散クラウド・コンピューティング環境を含むがこれには限定されない、多くのコンピューティング環境で実施可能である。分散クラウド・コンピューティング環境では、プログラム・モジュールが、メモリ・ストレージ・デバイスを含むローカルとリモートの両方のコンピュータ・システム記憶媒体に位置することができる。
【００２５】
図１に示すように、コンピュータ・システム／サーバ１２は汎用コンピューティング・デバイスの形態で示されている。コンピュータ・システム／サーバ１２の構成要素は、１つまたは複数のプロセッサまたは処理ユニット１６と、システム・メモリ２８と、システム・メモリ２８を含む様々なシステム構成要素をプロセッサ１６に結合するバス１８とを含み得るが、これらには限定されない。
【００２６】
バス１８は、様々なバス・アーキテクチャのうちのいずれかのアーキテクチャを使用する、メモリ・バスまたはメモリ・コントローラ、ペリフェラル・バス、アクセラレーテッド・グラフィクス・ポート、およびプロセッサ・バスまたはローカル・バスを含む、数種類のバス構造のうちのいずれかの１つまたは複数に相当する。例として、そのようなアーキテクチャとしては、これらには限定されないが、業界標準アーキテクチャ（Ｉｎｄｕｓｔｒｙ  Ｓｔａｎｄａｒｄ  Ａｒｃｈｉｔｅｃｔｕｒｅ：ＩＳＡ）バス、マイクロ・チャネル・アーキテクチャ（Ｍｉｃｒｏ  Ｃｈａｎｎｅｌ  Ａｒｃｈｉｔｅｃｔｕｒｅ：ＭＣＡ）バス、拡張（Ｅｎｈａｎｃｅｄ）ＩＳＡ（ＥＩＳＡ）バス、ビデオ・エレクトロニクス・スタンダーズ・アソシエーション（Ｖｉｄｅｏ  Ｅｌｅｃｔｒｏｎｉｃｓ  Ｓｔａｎｄａｒｄｓ  Ａｓｓｏｃｉａｔｉｏｎ：ＶＥＳＡ）ローカル・バス、およびペリフェラル・コンポーネント・インターコネクト（Ｐｅｒｉｐｈｅｒａｌ  Ｃｏｍｐｏｎｅｎｔ  Ｉｎｔｅｒｃｏｎｎｅｃｔ：ＰＣＩ）バスがある。
【００２７】
コンピュータ・システム／サーバ１２は、典型的には様々なコンピュータ・システム可読媒体を含む。そのような媒体は、コンピュータ・システム／サーバ１２がアクセスすることができる任意の利用可能な媒体であってよく、揮発性媒体と不揮発性媒体の両方と、取り外し可能媒体と取り外し不能媒体とを含む。
【００２８】
システム・メモリ２８は、ランダム・アクセス・メモリ（ＲＡＭ）３０またはキャッシュ・メモリ３２あるいはその両方などの、揮発性メモリの形態のコンピュータ・システム可読媒体を含むことができる。コンピュータ・システム／サーバ１２は、他の取り外し可能／取り外し不能、揮発性／不揮発性のコンピュータ・システム記憶媒体をさらに含んでよい。一例に過ぎないが、ストレージ・システム３４を、取り外し不能な不揮発性磁気媒体（図示されておらず、一般に「ハード・ドライブ」と呼ばれる）の読み書きのために設けることができる。図示されていないが、取り外し可能な不揮発性磁気ディスク（例えば「フロッピィ・ディスク」）の読み書きのための磁気ディスク・ドライブと、ＣＤ−ＲＯＭ、ＤＶＤ−ＲＯＭまたはその他の光学媒体などの、取り外し可能な不揮発性光ディスクの読み書きのための光ディスク・ドライブとを設けることができる。そのような場合、それぞれが１つまたは複数のデータ・メディア・インターフェースによってバス１８に接続することができる。以下でさらに図示し、説明するように、メモリ２８は、本発明の実施形態の機能を実施するように構成された１組の（例えば少なくとも１つの）プログラム・モジュールを有する少なくとも１つのプログラム製品を含み得る。
【００２９】
一例として、これには限らないが、１組の（少なくとも１つの）プログラム・モジュール４２を有するプログラム／ユーティリティ４０の他、オペレーティング・システムと、１つまたは複数のアプリケーション・プログラムと、その他のプログラム・モジュールと、プログラム・データとがメモリ２８に記憶されてよい。オペレーティング・システムと、１つまたは複数のアプリケーション・プログラムと、その他のプログラム・モジュールと、プログラム・データまたはこれらの何らかの組合せとのうちのそれぞれが、ネットワーキング環境の実装形態を含み得る。プログラム・モジュール４２は、一般には、本明細書に記載の本発明の実施形態の機能または方法あるいはその両方を実施する。
【００３０】
コンピュータ・システム／サーバ１２は、キーボード、ポインティング・デバイス、ディスプレイ２４など、または、ユーザがコンピュータ・システム／サーバ１２と対話することができるようにする１つまたは複数のデバイス、または、コンピュータ・システム／サーバ１２が１つまたは複数の他のコンピューティング・デバイスと通信することができるようにする任意のデバイス（例えばネットワーク・カード、モデムなど）、あるいはその組合せなどの、１つまたは複数の外部デバイス１４とも通信することができる。このような通信は、入出力（Ｉ／Ｏ）インターフェース２２を介して行うことができる。さらに、コンピュータ・システム／サーバ１２は、ローカル・エリア・ネットワーク（ＬＡＮ）、または汎用ワイド・エリア・ネットワーク（ＷＡＮ）、またはパブリック・ネットワーク（例えばインターネット）、あるいはその組合せなどの１つまたは複数のネットワークと、ネットワーク・アダプタ２０を介して通信することができる。図のように、ネットワーク・アダプタ２０は、バス１８を介してコンピュータ・システム／サーバ１２の他の構成要素と通信する。なお、図示されていないが、他のハードウェア構成要素またはソフトウェア構成要素あるいはその両方もコンピュータ・システム／サーバ１２とともに使用することができることも理解されたい。例としては、マイクロコード、デバイス・ドライバ、冗長処理ユニット、外部ディスク・ドライブ・アレイ、ＲＡＩＤシステム、テープ・ドライブ、およびデータ・アーカイブ・ストレージ・システムなどが含まれるが、これらには限定されない。
【００３１】
一例では、プロセッサ１６は、命令を実行するために使用される複数の機能構成要素を含む。図２に示すように、これらの機能構成要素には、例えば、実行する命令をフェッチする命令フェッチ構成要素１２０と、フェッチされた命令をデコードし、デコードされた命令のオペランドを取得する命令デコード・ユニット１２２と、デコードされた命令を実行する命令実行構成要素１２４と、必要な場合に命令実行のためにメモリにアクセスするメモリ・アクセス構成要素１２６と、実行された命令の結果を提供するライト・バック構成要素１３０とが含まれる。本発明の一態様によると、これらの構成要素のうちの１つまたは複数の構成要素を、以下で詳述するように１０進シフトおよび除算演算１３６を実行するために使用することができる。
【００３２】
プロセッサ１６は、一実施形態では、機能構成要素のうちの１つまたは複数の機能構成要素によって使用される１つまたは複数のレジスタ１４０も含む。
【００３３】
１つまたは複数の態様を組み込み、使用するコンピューティング環境の別の実施形態について、図３を参照しながら説明する。この例では、コンピューティング環境２００は、例えば、ネイティブ中央処理装置（ＣＰＵ）２０２と、メモリ２０４と、例えば１つまたは複数のバス２０８またはその他の接続機構あるいはその両方を介して互いに結合された１つまたは複数の入出力デバイスまたはインターフェース２０６あるいはその両方とを含む。例として、コンピューティング環境２００は、米国ニューヨーク州アーモンクのインターナショナル・ビジネス・マシーンズ・コーポレーションによって提供されるＰｏｗｅｒＰＣプロセッサまたはｐＳｅｒｉｅｓサーバ、または米国カリフォルニア州パロアルトのヒューレット・パッカード社によって提供される、Ｉｎｔｅｌ（Ｒ）  Ｉｔａｎｉｕｍ  ＩＩプロセッサ内蔵ＨＰ  Ｓｕｐｅｒｄｏｍｅ、または、インターナショナル・ビジネス・マシーンズ・コーポレーション、ヒューレット・パッカード、インテル、オラクルまたはその他によって提供されるアーキテクチャに基づくその他のマシン、あるいはその組合せを含んでよい。
【００３４】
ネイティブ中央処理装置２０２は、環境内での処理中に使用される、１つまたは複数の汎用レジスタまたは１つまたは複数の特殊用途レジスタあるいはその両方などの、１つまたは複数のネイティブ・レジスタ２１０を含む。これらのレジスタは、任意の特定の時点における環境の状態を表す情報を含む。
【００３５】
また、ネイティブ中央処理装置２０２は、メモリ２０４に記憶されている命令およびコードを実行する。特定の一例では、中央処理装置は、メモリ２０４に記憶されているエミュレータ・コード２１２を実行する。このコードは、１つのアーキテクチャにおいて構成されたコンピューティング環境が別のアーキテクチャをエミュレートすることができるようにする。例えば、エミュレータ・コード２１２は、ＰｏｗｅｒＰＣプロセッサ、ｐＳｅｒｉｅｓサーバ、ＨＰ  Ｓｕｐｅｒｄｏｍｅサーバまたはその他のものなど、ｚ／Ａｒｃｈｉｔｅｃｔｕｒｅ以外のアーキテクチャに基づくマシンが、ｚ／Ａｒｃｈｉｔｅｃｔｕｒｅをエミュレートし、ｚ／Ａｒｃｈｉｔｅｃｔｕｒｅに基づいて開発されたソフトウェアおよび命令を実行することができるようにする。
【００３６】
エミュレータ・コード２１２に関するさらなる詳細について、図４を参照しながら説明する。メモリ２０４に記憶されているゲスト命令２５０が、ネイティブＣＰＵ２０２のアーキテクチャ以外のアーキテクチャで実行されるように開発された（例えばマシン命令と相互に関係する）ソフトウェア命令を含む。例えば、ゲスト命令２５０は、ｚ／Ａｒｃｈｉｔｅｃｔｕｒｅプロセッサ上で実行されるように設計されていてよいが、その代わりに、例えばＩｎｔｅｌ（Ｒ）  Ｉｔａｎｉｕｍ  ＩＩプロセッサであってもよいネイティブＣＰＵ２０２上でエミュレートされる。一例では、エミュレータ・コード２１２は、メモリ２０４から１つまたは複数のゲスト命令２５０を取得し、任意選択により、取得された命令のためにローカル・バッファリングを行う命令フェッチ・ルーチン２５２を含む。また、取得されたゲスト命令の種類を決定し、そのゲスト命令を１つまたは複数の対応するネイティブ命令２５６に変換するための命令変換ルーチン２５４も含む。この変換は、例えば、ゲスト命令によって実行される機能を識別することと、その機能を実行するためにネイティブ命令を選択することとを含む。
【００３７】
また、エミュレータ２１２は、ネイティブ命令が実行されるようにするためのエミュレーション制御ルーチン２６０を含む。エミュレーション制御ルーチン２６０は、ネイティブＣＰＵ２０２に、１つまたは複数の事前に取得されたゲスト命令をエミュレートするネイティブ命令のルーチンを実行させることができ、そのような実行の終わりに、次のゲスト命令またはゲスト命令のグループの取得をエミュレートするために命令フェッチ・ルーチンに制御を戻させることができる。ネイティブ命令２５６の実行は、変換ルーチンによる決定に従って、メモリ２０４からレジスタにデータをロードすること、または、レジスタからメモリにデータを格納し戻すこと、または何らかの種類の算術演算または論理演算を実行することを含み得る。
【００３８】
各ルーチンは、例えば、メモリに記憶されたソフトウェアで実装され、ネイティブ中央処理装置２０２によって実行される。他の例では、ルーチンまたは演算のうちの１つまたは複数が、ファームウェア、ハードウェア、ソフトウェア、またはこれらの何らかの組合せで実装される。エミュレートされるプロセッサのレジスタは、ネイティブＣＰＵのレジスタ２１０を使用して、またはメモリ２０４内の場所を使用してエミュレートされてよい。いくつかの実施形態では、ゲスト命令２５０と、ネイティブ命令２５６と、エミュレータ・コード２１２とが同じメモリにあってよく、または異なるメモリ・デバイスに分散されてもよい。
【００３９】
本明細書では、ファームウェアは、例えば、プロセッサのマイクロコード、またはミリコード、またはマクロコードあるいはその組合せを含む。ファームウェアは、例えば、ハードウェア・レベルの命令、またはより高いレベルのマシン・コードの実装で使用されるデータ構造、あるいはその両方を含む。一実施形態では、ファームウェアは、例えば、典型的には、トラステッド・ソフトウェアを含むマイクロコード、または基礎となるハードウェアに固有のマイクロコードとして配布されるプロプライエタリ・コードを含み、システム・ハードウェアへのオペレーティング・システム・アクセスを制御する。
【００４０】
取得され、変換され、実行されるゲスト命令２５０は、例えば、本明細書に記載のベクトル・シフトおよび除算１０進命令である。１つのアーキテクチャ（例えばｚ／Ａｒｃｈｉｔｅｃｔｕｒｅ）の命令であるこの命令は、メモリからフェッチされ、変換されて、別のアーキテクチャ（例えばＰｏｗｅｒＰＣ、ｐＳｅｒｉｅｓ、Ｉｎｔｅｌ（Ｒ）など）のネイティブ命令２５６のシーケンスとして表される。次に、これらのネイティブ命令が実行される。
【００４１】
本明細書では、命令のフィールドと（ネイティブ・システムまたはエミュレートされるシステムにおける）少なくとも１つのプロセッサによる実行とを含む、ベクトル・シフトおよび除算１０進命令の一実施形態に関する詳細について説明する。本発明の一態様によると、ベクトル・シフトおよび除算１０進命令は、入力値をユーザ定義された量だけシフトして被除数を提供し、次にその被除数を除数で除算することによって商を生成する。商の少なくとも一部（例えば右端３１桁）が結果として提供される。この結果は、整数桁とｋ桁の小数桁とを含み、ｋはシフト量と等しい。これにより、ＢＣＤ除算演算を行う長い命令シーケンスを単一の命令（例えば単一のアーキテクテッド・マシン命令）に置き換えることによって、コンピュータのパフォーマンスを向上させる。したがって、本発明の態様は、コンピュータ技術と、コンピュータ処理の向上とに密接に結びついている。
【００４２】
一実施形態では、ベクトル・シフトおよび除算１０進命令は、例えば１ないし１６個の要素の範囲の固定サイズ・ベクトルを提供するベクトル機能の一部である。各ベクトルは、この機能において定義されているベクトル命令によって演算が行われるデータを含む。一実施形態では、ベクトルが複数の要素からなる場合、各要素は他の要素と並列して処理される。命令の完了は、すべての要素の処理が完了するまで起こらない。他の実施形態では、要素は一部が並列に、または順次にあるいはその両方で処理される。
【００４３】
ベクトル命令は、ｚ／Ａｒｃｈｉｔｅｃｔｕｒｅ、Ｐｏｗｅｒ  Ａｒｃｈｉｔｅｃｔｕｒｅ、ｘ８６、ＩＡ−３２、ＩＡ−６４などを含むがこれらには限定されない様々なアーキテクチャの一部として実装することができる。本明細書に記載の実施形態は、ｚ／Ａｒｃｈｉｔｅｃｔｕｒｅのためのものであるが、本明細書に記載されているベクトル命令および１つまたは複数の他の態様は、多くの他のアーキテクチャに基づいてよい。ｚ／Ａｒｃｈｉｔｅｃｔｕｒｅは一例に過ぎない。
【００４４】
ベクトル機能がｚ／Ａｒｃｈｉｔｅｃｔｕｒｅの一部として実装される一実施形態では、ベクトル・レジスタおよび命令を使用するために、指定された制御レジスタ（例えば制御レジスタ０）におけるベクトル・イネーブル制御およびレジスタ制御が例えば１に設定される。ベクトル機能がインストールされており、ベクトル命令がイネーブル制御の設定なしに実行される場合、データ例外と認識される。ベクトル機能がインストールされておらず、ベクトル命令が実行される場合、演算例外と認識される。
【００４５】
一実施形態では、３２個のベクトル・レジスタがあり、他の種類のレジスタをベクトル・レジスタの象限にマッピングすることができる。例えば、レジスタ・ファイルが３２個のベクトル・レジスタを含むことができ、各レジスタは長さが１２８ビットである。長さが６４ビットの１６個の浮動小数点レジスタが、ベクトル・レジスタをオーバーレイすることができる。したがって、一例として、浮動小数点レジスタ２が変更されると、ベクトル・レジスタ２も変更される。他の種類のレジスタのための他のマッピングも可能である。
【００４６】
ベクトル・データは、記憶域において、例えば他のデータ形式と同じ左から右の順序で現れる。０ないし７の番号が付けられたデータ形式のビットが、記憶域の左端（最小番号が付けられた）バイト位置のバイトを構成し、ビット８ないし１５が次の順次位置のバイトを形成し、以下同様である。他の例では、ベクトル・データは記憶域において右から左などの別の順序で現れてもよい。
【００４７】
ベクトル・シフトおよび除算１０進命令の一例について図５ないし図７を参照しながら説明する。図示のように、この命令は複数のフィールドを含み、１つのフィールドはそれに付けられた下付き番号を有し得る。命令のフィールドに付けられた下付き番号は、そのフィールドが適用されるオペランドを示す。例えば、ベクトル・レジスタＶ１に付けられた下付き番号１は、Ｖ１のレジスタが先頭オペランドを含むことを示し、以下同様である。レジスタ・オペランドは、例えば１２８ビットの長さの１つのレジスタである。
【００４８】
図５を参照すると、一実施形態では、ベクトル・シフトおよび除算１０進命令３００は、ベクトル・シフトおよび除算１０進演算を示すオペコード・フィールド３０２ａ、３０２ｂと、第１のベクトル・レジスタ（Ｖ１）を指示するために使用される第１のベクトル・レジスタ・フィールド３０４と、第２のベクトル・レジスタ（Ｖ２）を指示するために使用される第２のベクトル・レジスタ・フィールド３０６と、第３のベクトル・レジスタ（Ｖ３）を指示するために使用される第３のベクトル・レジスタ・フィールド３０８と、マスク・フィールド（Ｍ５）３１０と、即値フィールド（Ｉ４）３１２と、レジスタ拡張ビット（ＲＸＢ）フィールド３１４とを含み、それぞれについては以下で説明する。一実施形態では、これらのフィールドは別々のものであり、互いに独立している。しかし、他の実施形態では、複数のフィールドが組み合わされてもよい。これらのフィールドに関する詳細な情報について以下に記載する。
【００４９】
ベクトル・レジスタ・フィールド３０４は、第１のオペランドを格納するベクトル・レジスタを示すために使用され、第１のオペランドは、第２のオペランドをシフトして被除数を求め、その被除数を第３のオペランド（除数）によって除算して商を求め、商の少なくとも一部を結果として選択した結果である。第２のオペランドは、ベクトル・レジスタ・フィールド３０６を使用して指定されたベクトル・レジスタに入れられ、第３のオペランド（除数）は、ベクトル・レジスタ・フィールド３０８を使用して指定されたベクトル・レジスタに入れられる。一例では、ベクトル・レジスタ・フィールド３０４、３０６、３０８のそれぞれは、ベクトル・レジスタを指示するためにＲＸＢフィールド３１４とともに使用される。
【００５０】
例えば、ＲＸＢフィールド３１４は、ベクトル・レジスタ指示オペランドのための最上位ビットを含む。命令によって指定されていないレジスタ指示のためのビットは、予約されるビットであり、ゼロに設定される。最上位ビットは、例えば、ベクトル・レジスタ・フィールドの４ビットレジスタ指示の左に連結されて、５ビット・ベクトル・レジスタ指示を形成する。
【００５１】
一例では、ＲＸＢフィールドは４ビット（例えば、ビット０ないし３）を含み、これらのビットは、以下のように定義される。
０−命令の（例えばビット８ないし１１内の）先頭のベクトル・レジスタ指定のための最上位ビット。
１−もしある場合、命令の（例えばビット１２ないし１５内の）２番目のベクトル・レジスタ指定のための最上位ビット。
２−もしある場合、命令の（例えばビット１６ないし１９内の）３番目のベクトル・レジスタ指定のための最上位ビット。
３−もしある場合、命令の（例えばビット３２ないし３５内の）４番目のベクトル・レジスタ指定のための最上位ビット。
【００５２】
各ビットは、例えばアセンブラによって、レジスタ番号に応じてゼロまたは１に設定される。例えば、レジスタ０ないし１５の場合、ビットは０に設定される。レジスタ１６ないし３１の場合、ビットは１に設定される、などである。
【００５３】
一実施形態では、各ＲＸＢビットは、１つまたは複数のベクトル・レジスタを含む命令内の特定の位置のための拡張ビットである。例えば、ＲＸＢのビット０は位置８ないし１１のための拡張ビットであり、例えばＶ１に割り当てられ、以下同様である。具体的には、ベクトル・レジスタの場合、オペランドが入れられるレジスタは、例えば、最上位ビットとして対応するレジスタ拡張ビット（ＲＸＢ）が付加された、レジスタ・フィールドの４ビット・フィールドを使用して指定される。例えば、４ビット・フィールドが０１１０であり、拡張ビットが０である場合、５ビット・フィールド００１１０がレジスタ番号６を示す。他の実施形態では、ＲＸＢフィールドは追加のビットを含み、複数のビットが各ベクトルまたは位置の拡張部として使用される。
【００５４】
即値（Ｉ４）フィールド３１２は、シフト制御を含む第４のオペランドを指定する。例えば、Ｉ４フィールド３１２は、図６に示すように、以下を含む。
＊予約：ビット０ないし２は予約され、ゼロが入れられる必要がある。そうでない場合、一例では、指定例外と認識される。
＊シフト量（ＳＨＡＭＴ）３３０：ビット３ないし７は、被除数を形成するために第２のオペランドが例えば左にシフトされる桁数を指定する、符号なし２進数が入れられる。符号位置はシフトには関与しない。空き桁位置にはゼロが埋められる。
【００５５】
Ｍ５フィールド３１０は、一例では、図７に示すように、以下の制御を含む。
＊オペランド２強制正（Ｐ２）３４０：ビット０が１の場合、第２のオペランド符号は正符号とみなされ、妥当性は検証されない。ビット０がゼロの場合、第２のオペランド符号は演算で使用され、妥当性が検証される。
＊オペランド３強制正（Ｐ３）３４２：ビット１が１の場合、第３のオペランド符号は正符号とみなされ、妥当性は検証されない。ビット１がゼロの場合、第３のオペランド符号は演算で使用され、妥当性が検証される。
＊オペランド１強制正（Ｐ１）３４４：ビット２が１の場合、第１のオペランドに入れられた結果の符号が強制的に正とされ、符号コード１１１１が使用される。ビット２がゼロの場合、第１のオペランドに入れられた結果の符号は商の符号の選択された符号コードである。
＊条件コード設定（ＣＳ）３４６：ビット３がゼロの場合、条件コードは設定されず、変更されないままである。ビット３が１の場合、以下の結果条件コードの項で示すように条件コードが設定される。
【００５６】
結果条件コード：
ＣＳビットが１の場合、一例では条件コードが以下のように設定される。
０  結果ゼロ、オーバーフローなし
１  結果ゼロ未満、オーバーフローなし
２  結果ゼロより大、オーバーフローなし
３  オーバーフロー
【００５７】
様々なフィールドおよびレジスタについて説明したが、本発明の１つまたは複数の態様は、他の、または追加の、またはより少ないフィールドまたはレジスタ、またはフィールドまたはレジスタの他のサイズなどを使用してもよい。多くの変形態様が可能である。例えば、命令の明示的に指定されたレジスタまたはフィールドの代わりに、暗黙的レジスタを使用してもよい。また、ベクトル・レジスタ以外のレジスタを使用してもよい。その場合も、他の変形態様も可能である。
【００５８】
演算において、第４のオペランドで指定された桁数だけ左にシフトされた第２のオペランド（被除数）が第３のオペランド（除数）によって除算され、商の選択された数の桁、例えば右端３１桁が、第１のオペランドの場所に入れられる。オペランドと結果とは、例えば、符号付きパック１０進形式である。
【００５９】
一例では、一例では、符号付きパック１０進形式で、１０進数字の右側の符号（Ｓ）が入る右端バイトを除く各バイトが、２個の１０進数字（Ｄ）を含む。オペランドを使用して１０進算術演算が行われ、符号付きパック１０進形式の結果を生成する。
【００６０】
第２のオペランドと第３のオペランドとの符号コードは、それぞれ、オペランド２強制正（Ｐ２）制御とオペランド３強制正（Ｐ３）制御により演算で使用するために変更され得る。
【００６１】
一例では、すべての桁コードの妥当性が検証される。符号コードは、オペランド２強制正（Ｐ２）またはオペランド３強制正（Ｐ３）制御によって妥当性の検証が無効にされない限り、妥当性が検証される。
【００６２】
第１のオペランドに、商の左端の非ゼロ桁がすべて入らない場合、１０進オーバーフローが発生する。演算は完了し、オーバーフロー桁を無視することによって結果が得られる。条件コード設定（ＣＳ）フラグが１の場合、条件コード３が設定される。例えばプログラム状態ワードの一部として含まれているプログラム・マスク内の１０進オーバーフロー制御が１の場合、１０進オーバーフローのためのプログラム割り込みが発生する。
【００６３】
商の右端３１桁が非ゼロであり、オペランド１強制正（Ｐ１）制御がゼロの場合、非除数の符号および除数の符号から代数の規則によって結果の符号が決まり、選択された符号コードが使用される。商の右端３１桁がゼロであり、Ｐ１制御がゼロの場合、結果の符号は選択された符号コード１１００によって正とされる。Ｐ１制御が１の場合、結果の符号は符号コード１１１１によって正とされる。
【００６４】
除数がゼロで、使用されている除数の符号コードが有効な場合、１０進除算例外と認識される。これにはゼロをゼロで除す除算の場合が含まれる。オペランド３強制正（Ｐ３）ビットがゼロの場合、使用される除数の符号コードは第３のオペランドの符号コードであり、オペランド３強制正（Ｐ３）ビットが１の場合は正符号コードである。
【００６５】
この命令の演算に関する詳細について、図８を参照しながら説明する。一例では、図８の論理は、ベクトル・シフトおよび除算１０進命令の取得と実行とに基づいて、少なくとも１つのプロセッサによって実行される。
【００６６】
図８を参照すると、ステップ４００で、最初に命令のＶ２フィールドとＶ３フィールドとを使用して指示されたレジスタから、第２のオペランドと第３のオペランド（除数）とが取得される。一例では、第２および第３のオペランドの桁の妥当性が検証される。具体的には、一例では、すべての桁コードの妥当性が検証される。照会４０２において桁のうちの１つまたは複数の桁が無効な場合、処理は完了し、一例ではエラーが示されてよい。しかし、第２および第３のオペランドの桁が有効な場合、処理はステップ４０４に進み、シフト量を取得する。一例では、シフト量はユーザ定義され、命令によって（例えばＩ４  ３１２）与えられる。
【００６７】
ステップ４０６で、第２のオペランドが指定された方向（例えば左）にシフト量だけシフトされて被除数を求める。ステップ４０８で、被除数が第３のオペランドによって除算されて商を求める。ステップ４１０で、商の選択された範囲の桁（例えば右端３１桁）が結果として選択され、第１のオペランドの場所（例えば、Ｖ１を使用して指示されたレジスタ）に入れられる。
【００６８】
また、ステップ４１２で結果の符号が決定される。例えば、商の右端３１桁が非ゼロであり、オペランド１強制正（Ｐ１）制御がゼロの場合、被除数の符号および除数の符号から代数の規則により結果の符号が決まり選択された符号コードが使用される。商の右端３１桁がゼロで、Ｐ１制御がゼロの場合、結果の符号は選択された符号コード１１００を使用して正とされる。Ｐ１制御が１の場合、結果の符号は符号コード１１１１によって正とされる。
【００６９】
除数がゼロで、使用されている除数の符号コードが有効な場合、１０進除算例外と認識される。これには、ゼロをゼロで除す除算の場合が含まれる。使用される除数の符号コードは、オペランド３強制正（Ｐ３）ビットがゼロの場合は第３のオペランドの符号コードであり、オペランド３強制正（Ｐ３）ビットが１の場合は正符号コードである。
【００７０】
ステップ４１４で、決定された符号の符号コードが第１のオペランドの場所（例えば右側）に入れられる。これでシフトおよび除算命令の一実施形態の処理を完了する。
【００７１】
他の実施形態では、シフトは右に行われるか、またはシフトの方向は命令の制御によって選択可能とされるか、あるいはその両方であってよい。その他の変形態様も可能である。
【００７２】
１０進整数除算に関するさらなる詳細を以下に示す。
【００７３】
１つの従来の１０進除算命令であるＤＰは、Ａ＝Ｑ＊Ｂ＋ＲとなるようなＡ割るＢの商Ｑと剰余Ｒとを計算する。Ａは最大３１桁の長さを有することができるが、Ｂは最大で１５桁を有することができ、Ａよりも少ない桁数を有する必要がある。除数の長さを制限することによって、除数の種類に厳しい制限が加えられる。
【００７４】
別の１０進命令であるＶＤＰでは、ＡとＢの両方が最大３１桁までの全幅を有することができ、ＤＰ命令の長さ制限が緩和される。しかし、両方の命令では、整数部のみが提供され、小数桁は提供されない。
【００７５】
スケーリングされたＢＣＤ除算（ｎ．ｋ）の場合、複数の除算演算を有する長いルーチンを使用して、商の整数部に加えてｋ桁の小数桁を求める。
【００７６】
上記について、図９ないし図１０を参照しながらさらに詳細に説明する。
【００７７】
図９に示すように、２つの全幅ＢＣＤ数値５０２ａ、５０２ｂ（例えば３１桁）の整数除算５００を行う場合、商５０４は、最大で例えば３１桁を有するＢＣＤ整数であり、小数桁は提供されない。
【００７８】
スケーリングされたＢＣＤ除算演算の場合、入力の３１桁が（小数点の前の）いくつかの「ｎ」整数桁および（小数点の後の）いくつかの「ｋ」小数桁と解釈される。所望の商は通常、オペランドと同じ小数桁数を有する。
【００７９】
図１０に示すような例Ｑ（７．３）＝Ａ（４．３）／Ｂ（４．３）を考える。
【００８０】
図１０および以下の例は、拡張ＶＤＰであっても商の整数部しか提供せず、所望の小数桁を提供しないことを示している。
【００８１】
いくつか例を示す。
Ａ＝８８８８．８８８      Ｂ＝００００．００３τＱ＝２９６２９６２．６６６
Ｂ＝３３３３．３３３τＱ＝００００００２．６６６
【００８２】
商の所望の数の小数桁を得るには、何らかの追加の処理が必要である。
【００８３】
（ｎ．ｋ）を使用するスケーリングされたＢＣＤ除算について、以下の事例を考えてみる。
１．  ｎ＋ｋ＋ｋ＜３２の場合、除算演算の前に、「Ａ」をｋだけ右にシフトして、Ａ’＝Ａ＊１０ｋを求めることができる。次に、Ａ’（ｎ＋ｋ，０）とＢ（ｎ．ｋ）の通常の１０進除算によって、ｋ桁の小数桁を有する所望の商を求めることができる。
２．  ｎ＋ｋ＋ｋ＞３１の場合、最大桁数を超えることになるため、「Ａ」をｋだけ右にシフトすることはできない。このとき、Ｂが半分の長さ（ＤＰ）しか有することができないかまたはＢが全長（ＶＤＰ）を有することができるかで相違が生じる。
【００８４】
半分の長さである、ｋ＜１５である場合、
ＤＰ：Ａ＝Ｑ１＊Ｂ＋Ｒ１−−商と剰余とを計算する。なお、Ｒ１＜Ｂ．．．は最大で１５桁を有する。
ＳＲＰ：Ｒ’＝Ｒ１＜＜ｋ
ＤＰ：Ｒ’＝Ｑ２＊Ｂ＋Ｒ２−−商の剰余の計算は不要である。
Ｑ＝（Ｑ１＜＜ｋ）＋Ｑ２
【００８５】
３１桁のＢの場合、上記のアルゴリズムは機能せず、したがって、オペランドは１０進浮動小数点（ＤＦＰ）に変換され、浮動小数点除算が行われ、所望の仮数桁が抽出される。また、ＤＦＰの実装形態によっては、これでもまだ十分ではないことがあり、さらに多くの複雑な技術が使用されることになる。
【００８６】
したがって、いずれの場合も、スケーリングされたＢＣＤ除算を行う長いルーチンである。
【００８７】
本発明の一態様によると、スケーリングされたＢＣＤ除算を行う長い命令シーケンスが、１０進シフトおよび除算演算を行う単一の命令（例えば、アーキテクテッド・ハードウェア命令などのアーキテクテッド命令）に置き換えられる。
【００８８】
一実施形態では、図１１に示すように、ベクトル・シフトおよび除算１０進命令が、本発明の一態様によると、幅ｓｈ（５５０）を指定する。Ａオペランド（５５２）がｓｈ桁だけ左にシフトされて、Ａ’＝Ａ＜＜ｓｈ＝Ａ＊１０ｓｈが得られる。次に、Ａ’がＢオペランド（５５４）によって除されて、整数商Ｑ（５５６）が得られる。一例では、右端３１桁が結果（５５８）として選択される。商Ｑが３１桁を超える有効桁を有する場合、オーバーフロー（５６０）が検出される。
【００８９】
これは、図１２に示すように、Ａ／Ｂの商５７０の整数部と小数部を計算し、結果としてｓｈ桁の小数桁（５７２）と３１−ｓｈ桁の整数桁とを選択することであると解釈することもできる。
【００９０】
本発明の一態様により提供される命令は、幅（ｎ．ｋ）を使用するスケーリングされたＢＣＤ除算演算を、ｓｈ＝ｋを使用する単一のシフトおよび除算命令に変え、それによって長い命令シーケンスを単一の命令に置き換え、スケーリングされたＢＣＤ除算演算の実行速度を大幅に高速化し、コンピューティング環境内での処理を向上させる。また、この命令は、任意の（すなわち、固定されていない、可変の）スケーリングｋを使用するスケーリングされた除算が実現されるという点で、より高い柔軟性ももたらす。この命令は、商の整数桁と小数桁のビット・セットの任意の定義を実現し、その任意のビット・セットに基づくオーバーフロー検査を行う。このような演算は、コンピューティング環境の多くの種類のアプリケーションおよびその他の処理で使用することができる。
【００９１】
図１３ないし図１４を参照しながら、シフトおよび除算演算を行う命令の実行を含む、コンピューティング環境内での処理の簡易化に関するさらなる詳細を説明する。
【００９２】
図１３を参照すると、ステップ６００で、シフトおよび除算演算を行う命令（例えばアーキテクテッド・マシン命令）が取得され、ステップ６０２で、少なくとも１つのプロセッサによって実行される。実行は、例えば、ステップ６０４で、値を指定された方向に選択された量だけシフトして被除数を与えることを含み、選択された量はユーザ定義される。ステップ６０６で、被除数が除数によって除算されて商を求める。ステップ６０８で、商の少なくともサブセット（例えば右端３１桁）が結果として選択される。ステップ６１０で、結果が選択された場所に入れられ、結果はコンピューティング環境内での処理において使用されることになる。
【００９３】
一例として、値は１０進整数（６１２）であり、商の少なくともサブセットは商の選択された数の桁であり、選択された数の桁はいつかの整数桁といくつかの小数桁とを含む（６１４）。
【００９４】
他の実施形態では、実行は、ステップ６１６で結果の符号を決定することと、ステップ６１８で符号を選択された場所に含めることとをさらに含む。一例では、符号の決定は、ステップ６２０で、命令によって与えられた制御を調べることを含み、制御は、例えば命令のマスク・フィールドで与えられる（６２２）。
【００９５】
また、図１４を参照すると、一例では、実行は、ステップ６２４で命令の１つまたは複数のフィールドから値を取得することと、ステップ６２６で値の妥当性を検証することと、ステップ６２８で、検証が値が有効であることを示すことに基づいてシフトを行うこととを含む。
【００９６】
例として、指定された方向は左であり（６３０）、選択された量は命令のフィールドから取得され（６３２）、選択された場所はレジスタであり、レジスタは命令の少なくとも１つのフィールドを使用して指定される（６３４）。少なくとも１つのフィールドは、レジスタ番号を指定するレジスタ・フィールドと、レジスタ番号に付加される拡張値を指定する拡張フィールドとを含む（６３６）。
【００９７】
本明細書では、単一のアーキテクテッド命令を使用してＢＣＤ除算を行うための機能について説明している。この命令は、長い命令シーケンスを置き換え、コンピュータの処理とパフォーマンスを向上させる。
【００９８】
様々な例を示したが、特許請求される態様の思想から逸脱することなく変形態様が可能である。例えば、命令によって使用されるレジスタまたはフィールドあるいはその両方に含まれる値は、他の実施形態では、メモリ記憶場所などの他の場所にあってもよい。その他の多くの変形態様が可能である。
【００９９】
１つまたは複数の態様は、クラウド・コンピューティングに関し得る。
【０１００】
なお、本開示はクラウド・コンピューティングの詳細な説明を含むが、本明細書に記載されている教示の実装がクラウド・コンピューティング環境に限定されないことは前もって理解される。むしろ、本発明の実施形態は、現在知られている、または今後開発される任意の他の種類のコンピューティング環境とともに実装することができる。
【０１０１】
クラウド・コンピューティングは、最小限の管理労力またはサービスのプロバイダとの対話で迅速にプロビジョニングすることができ、解放することができる、構成可能コンピューティング資源（例えば、ネットワーク、ネットワーク帯域幅、サーバ、処理、メモリ、ストレージ、アプリケーション、仮想マシン、およびサービス）の共用プールへの便利なオンデマンドのネットワーク・アクセスを可能にするサービス配布のモデルである。このクラウド・モデルは、少なくとも５つの特徴と、少なくとも３つのサービス・モデルと、少なくとも４つの配備モデルとを含み得る。
【０１０２】
特徴は以下の通りである。
オンデマンド・セルフサービス：クラウド消費者は、サービス・プロバイダとの間で人間の対話を必要とせずに、必要に応じて自動的に、サーバ時間およびネットワーク・ストレージなどのコンピューティング機能を一方的にプロビジョニングすることができる。
広帯域ネットワーク・アクセス：ネットワークを介して機能が利用可能であり、異種のシン・クライアントまたはシック・クライアント・プラットフォーム（例えば携帯電話、ラップトップ、およびＰＤＡ）による使用を促進する標準機構を介してアクセスすることができる。
資源プール：マルチテナント・モデルを使用して複数の消費者にサービスするために、プロバイダのコンピューティング資源がプールされ、需要に応じて異なる物理資源および仮想資源が動的に割り当てられ、再割り当てされる。消費者は一般に、提供される資源の厳密な場所について制御することができないかまたは知らないが、より高い抽象レベルの場所（例えば、国、州、またはデータセンター）を指定し得るという点で、位置独立感がある。
迅速な伸縮性：迅速かつ伸縮性をもって、場合によっては自動的に機能をプロビジョニングして、迅速にスケールアウトすることができ、また、迅速に機能を解放してスケールインすることができる。消費者にとっては、プロビジョニングのために利用可能な機能はしばしば無限であるように見え、いつでも好きなだけ購入することができる。
従量制サービス：クラウド・システムが、サービスの種類（例えば、ストレージ、処理、帯域幅、およびアクティブ・ユーザ・アカウント）に応じて適切な何らかの抽象化レベルの計量機能を活用することによって、資源利用を自動的に制御し、最適化する。資源使用量を監視、制御および報告することができ、利用されたサービスのプロバイダと消費者の両方に透明性を与えることができる。
【０１０３】
サービス・モデルは以下の通りである。
ソフトウェア・アズ・ア・サービス（Ｓｏｆｔｗａｒｅ  ａｓ  ａ  Ｓｅｒｖｉｃｅ：ＳａａＳ）：消費者に提供される機能は、クラウド・インフラストラクチャ上で稼働するプロバイダのアプリケーションを使用することである。アプリケーションには、ウェブ・ブラウザなどのシン・クライアント・インターフェースを介して様々なクライアント・デバイスからアクセス可能である（例えばウェブ・ベースのＥメール）。消費者は、限られたユーザ固有アプリケーション構成設定の考えられる例外を除き、ネットワーク、サーバ、オペレーティング・システム、ストレージ、または個別のアプリケーション機能まで含めて、基礎にあるクラウド・インフラストラクチャを管理または制御しない。
プラットフォーム・アズ・ア・サービス（Ｐｌａｔｆｏｒｍ  ａｓ  ａ  Ｓｅｒｖｉｃｅ：ＰａａＳ）：消費者に提供される機能は、クラウド・インフラストラクチャ上に、消費者作成アプリケーション、またはプロバイダによってサポートされるプログラミング言語およびツールを使用して作成された取得アプリケーションを配備することである。消費者は、ネットワーク、サーバ、オペレーティング・システム、またはストレージを含む、基礎にあるクラウド・インフラストラクチャを管理または制御しないが、配備されたアプリケーションと、場合によってはアプリケーション・ホスティング環境構成とを制御することができる。
インフラストラクチャ・アズ・ア・サービス（Ｉｎｆｒａｓｔｒｕｃｔｕｒｅ  ａｓ  ａ  Ｓｅｒｖｉｃｅ：ＩａａＳ）：消費者に提供される機能は、処理、ストレージ、ネットワークおよびその他の基本的コンピューティング資源をプロビジョニングすることであり、その際、消費者は、オペレーティング・システムおよびアプリケーションを含み得る任意のソフトウェアを配備し、稼働させることができる。消費者は、基礎にあるクラウド・インフラストラクチャを管理または制御しないが、オペレーティング・システムと、ストレージと、配備されたアプリケーションとを制御することができ、場合によっては選択されたネットワーク・コンポーネント（例えばホスト・ファイアウォール）の限定的な制御を行うことができる。
【０１０４】
配備モデルは以下の通りである。
プライベート・クラウド：このクラウド・インフラストラクチャは、組織のためにのみ運用される。組織または第三者によって管理されることができ、オンプレミスまたはオフプレミスに存在してよい。
コミュニティ・クラウド：このクラウド・インフラストラクチャは、いくつかの組織によって共用され、共通の関心事（例えば、任務、セキュリティ要件、ポリシー、およびコンプライアンス事項）を有する特定のコミュニティをサポートする。組織または第三者によって管理されてよく、オンプレミスまたはオフプレミスに存在してよい。
パブリック・クラウド：このクラウド・インフラストラクチャは、公衆または大規模業界団体が利用することができ、クラウド・サービスを販売する組織によって所有される。
ハイブリッド・クラウド：このクラウド・インフラストラクチャは、独自の実体のままであるが、データ可搬性またはアプリケーション可搬性を可能にする標準化技術または専有技術（例えば、クラウド間の負荷バランシングのためのクラウド・バースティング）によって結合された、２つ以上のクラウド（プライベート、コミュニティまたはパブリック）の複合体である。
【０１０５】
クラウド・コンピューティング環境は、ステートレス性、疎結合性、モジュール性、および意味的相互運用性に焦点を合わせたサービス指向型である。クラウド・コンピューティングの核心にあるのは、相互接続されたノードのネットワークを含むインフラストラクチャである。そのような１つのノードは、図１に示されているノード１０である。
【０１０６】
コンピューティング・ノード１０は、適合するクラウド・コンピューティング・ノードの一例に過ぎず、本明細書に記載の本発明の実施形態の使用または機能の範囲に関するいかなる限定も示唆することを意図していない。いずれにしても、クラウド・コンピューティング・ノード１０は、上述の機能のいずれの実装または実行あるいはその両方が可能である。
【０１０７】
図１５を参照すると、例示のクラウド・コンピューティング環境５０が図示されている。図のように、クラウド・コンピューティング環境５０は、例えばパーソナル・デジタル・アシスタント（ＰＤＡ）または携帯電話５４Ａ、デスクトップ・コンピュータ５４Ｂ、ラップトップ・コンピュータ５４Ｃ、または自動車コンピュータ・システム５４Ｎあるいはその組合せなど、クラウド消費者によって使用されるローカル・コンピューティング・デバイスが通信することができる、１つまたは複数のコンピューティング・ノード１０を含む。ノード１０が互いに通信してもよい。これらは、上述のプライベート、コミュニティ、パブリックまたはハイブリッド・クラウドまたはこれらの組合せなどの１つまたは複数のネットワークにおいて物理的または仮想的にグループ化（図示せず）されてよい。これによって、クラウド・コンピューティング環境５０は、インフラストラクチャ、プラットフォーム、またはソフトウェアあるいはその組合せを、クラウド消費者がそのためにローカル・コンピューティング・デバイス上で資源を維持する必要がないサービスとして提供することができる。なお、図１５に示すコンピューティング・デバイス５４Ａないし５４Ｎの種類は、例示のみを意図したものであり、コンピューティング・ノード１０およびクラウド・コンピューティング環境５０は、（例えばウェブ・ブラウザを使用して）任意の種類のネットワークまたはネットワーク・アドレス指定可能接続あるいはその両方を介して、任意の種類のコンピュータ化デバイスと通信することができるものと理解される。
【０１０８】
次に、図１６を参照すると、クラウド・コンピューティング環境５０（図１５）によって提供される１組の機能抽象化層が示されている。なお、図１６に示す構成要素、層および機能は、例示のみを意図したものであり、本発明の実施形態はこれらには限定されないことを前もって理解されたい。図のように、以下の層および対応する機能が提供される。
ハードウェアおよびソフトウェア層６０は、ハードウェア構成要素とソフトウェア構成要素とを含む。ハードウェア構成要素の例としては、メインフレーム６１、縮小命令セットコンピュータ（Ｒｅｄｕｃｅｄ  Ｉｎｓｔｒｕｃｔｉｏｎ  Ｓｅｔ  Ｃｏｍｐｕｔｅｒ：ＲＩＳＣ）アーキテクチャ・ベースのサーバ６２、サーバ６３、ブレード・サーバ６４、ストレージ・デバイス６５、およびネットワークおよびネットワーキング構成要素６６がある。実施形態によっては、ソフトウェア構成要素は、ネットワーク・アプリケーション・サーバ・ソフトウェア６７およびデータベース・ソフトウェア６８を含む。
仮想化層７０は、以下の仮想実体の例を与えることができる抽象化層を提供する。すなわち、仮想サーバ７１、仮想ストレージ７２、仮想プライベート・ネットワークを含む仮想ネットワーク７３、仮想アプリケーションおよびオペレーティング・システム７４、および仮想クライアント７５である。
一例では管理層８０は、以下に記載の機能を提供することができる。資源プロビジョニング８１は、クラウド・コンピューティング環境内でタスクを実行するために利用されるコンピューティング資源およびその他の資源の動的調達を行う。メータリングおよびプライシング８２は、クラウド・コンピューティング環境内で資源が利用されるときのコスト追跡と、これらの資源の消費に対する対価の請求またはインボイス処理を行う。一例ではこれらの資源にはアプリケーション・ソフトウェア・ライセンスが含まれてもよい。セキュリティは、クラウド消費者およびタスクのための本人検証と、データおよびその他の資源の保護とを行う。ユーザ・ポータル８３は、消費者およびシステム管理者にクラウド・コンピューティング環境へのアクセスを提供する。サービス・レベル管理８４は、必要なサービス・レベルが満たされるようにクラウド・コンピューティング資源割り当ておよび管理を行う。サービス・レベル・アグリーメント（Ｓｅｒｖｉｃｅ  Ｌｅｖｅｌ  Ａｇｒｅｅｍｅｎｔ：ＳＬＡ）計画および履行８５は、ＳＬＡに従って将来の要求が予想されるクラウド・コンピューティング資源のための事前取り決めおよび調達を行う。
ワークロード層９０は、クラウド・コンピューティング環境をそのために利用することができる機能の例を提供する。この層から提供され得るワークロードおよび機能の例には、マッピングおよびナビゲーション９１、ソフトウェア開発およびライフサイクル管理９２、仮想教室教育配信９３、データ分析処理９４、トランザクション処理９５、および命令処理９６がある。
【０１０９】
本発明は、任意の可能な技術的詳細の統合レベルでのシステム、方法またはコンピュータ・プログラム製品あるいはその組合せとすることができる。コンピュータ・プログラム製品は、プロセッサに本発明の態様を実施させるためのコンピュータ可読プログラム命令が記憶されたコンピュータ可読記憶媒体（または複数の媒体）を含み得る。
【０１１０】
コンピュータ可読記憶媒体は、命令実行デバイスによって使用されるための命令を保持し、記憶することができる有形デバイスとすることができる。コンピュータ可読記憶媒体は、例えば、電子ストレージ・デバイス、磁気ストレージ・デバイス、光学ストレージ・デバイス、電磁気ストレージ・デバイス、半導体ストレージ・デバイス、またはこれらの任意の適合する組合せであってよいが、これらには限定されない。コンピュータ可読記憶媒体のより具体的な例の非網羅的なリストには以下のものが含まれる。すなわち、可搬コンピュータ・ディスケット、ハード・ディスク、ランダム・アクセス・メモリ（ＲＡＭ）、読み取り専用メモリ（ＲＯＭ）、消去可能プログラマブル読み取り専用メモリ（ＥＰＲＯＭまたはフラッシュ・メモリ）、スタティック・ランダム・アクセス・メモリ（ＳＲＡＭ）、可搬コンパクト・ディスク読み取り専用メモリ（ＣＤ−ＲＯＭ）、デジタル多用途ディスク（ＤＶＤ）、メモリ・スティック、フロッピィ・ディスク、パンチカードまたは命令が記録された溝内の隆起構造などの機械的に符号化されたデバイス、およびこれらの任意の適合する組合せが含まれる。本明細書で使用されるコンピュータ可読記憶媒体とは、電波またはその他の自由に伝播する電磁波、導波路またはその他の伝送媒体を伝播する電磁波（例えば光ファイバ・ケーブルを通る光パルス）、または電線を介して伝送される電気信号などの、一時的な信号自体であると解釈すべきではない。
【０１１１】
本明細書に記載のコンピュータ可読プログラム命令は、コンピュータ可読記憶媒体からそれぞれのコンピューティング／処理デバイスに、または、ネットワーク、例えばインターネット、ローカル・エリア・ネットワーク、ワイド・エリア・ネットワーク、または無線ネットワークあるいはこれらの組合せを介して外部コンピュータまたは外部記憶デバイスにダウンロードすることができる。ネットワークは、銅伝送ケーブル、光伝送ファイバ、無線伝送、ルータ、ファイアウォール、交換機、ゲートウェイ・コンピュータ、またはエッジ・サーバあるいはこれらの組合せを含んでよい。各コンピューティング／処理デバイスにおけるネットワーク・アダプタ・カードまたはネットワーク・インターフェースが、ネットワークからコンピュータ可読プログラム命令を受信し、それらのコンピュータ可読プログラム命令を、それぞれのコンピューティング／処理デバイス内のコンピュータ可読記憶媒体への記憶のために転送する。
【０１１２】
本発明の動作を実行するためのコンピュータ可読プログラム命令は、アセンブラ命令、インストラクション・セット・アーキテクチャ（ＩＳＡ）命令、マシン命令、機械依存命令、マイクロコード、ファームウェア命令、状態設定データ、集積回路のための構成データ、または、Ｓｍａｌｌｔａｌｋ（Ｒ）、Ｃ＋＋などのオブジェクト指向プログラミング言語および「Ｃ」プログラミング言語または同様のプログラム言語などの手続き型プログラミング言語を含む１つまたは複数のプログラミング言語の任意の組合せで書かれたソース・コードまたはオブジェクト・コードとすることができる。コンピュータ可読プログラム命令は、スタンドアロン・ソフトウェア・パッケージとして全体がユーザのコンピュータ上で、あるいは一部がユーザのコンピュータ上で、または一部がユーザのコンピュータ上で一部がリモート・コンピュータ上で、または全体がコンピュータあるいはサーバ上で実行されてよい。後者の場合、リモート・コンピュータは、ローカル・エリア・ネットワーク（ＬＡＮ）またはワイド・エリア・ネットワーク（ＷＡＮ）を含む、任意の種類のネットワークを介してユーザのコンピュータに接続することができ、または接続は外部コンピュータ（例えば、インターネット・サービス・プロバイダを使用してインターネットを介して）に対して行ってもよい。実施形態によっては、本発明の態様を実行するために、例えばプログラマブル・ロジック回路、フィールド・プログラマブル・ゲート・アレイ（ＦＰＧＡ）、またはプログラマブル・ロジック・アレイ（ＰＬＡ）を含む電子回路が、コンピュータ可読プログラム命令の状態情報を使用して電子回路をパーソナライズすることにより、コンピュータ可読プログラム命令を実行することができる。
【０１１３】
本発明の態様について、本発明の実施形態による方法、装置（システム）、およびコンピュータ・プログラム製品を示すフローチャート図またはブロック図あるいはその両方を参照しながら本明細書において説明している。フローチャート図またはブロック図あるいはその両方の図の各ブロックおよび、フローチャート図またはブロック図あるいはその両方の図のブロックの組合せは、コンピュータ可読プログラム命令によって実装可能であることはわかるであろう。
【０１１４】
上記のコンピュータ可読プログラム命令は、コンピュータまたはその他のプログラマブル・データ処理装置のプロセッサを介して実行される命令が、フローチャートまたはブロック図あるいはその両方の１つまたは複数のブロックで規定されている機能／動作を実装する手段を形成するように、汎用コンピュータ、特殊目的コンピュータ、またはその他のプログラマブル・データ処理装置のプロセッサに供給されて、マシンを実現するものであってよい。これらのコンピュータ可読プログラム命令は、命令が記憶されたコンピュータ可読記憶媒体が、フローチャートまたはブロック図あるいはその両方の１つまたは複数のブロックで規定されている機能／動作の態様を実装する命令を含む製造品を含むように、コンピュータ可読媒体に記憶され、コンピュータ、プログラマブル・データ処理装置、またはその他のデバイスあるいはこれらの組合せに対して特定の方式で機能するように指示することができるものであってもよい。
【０１１５】
コンピュータ可読プログラム命令は、コンピュータ、その他のプログラマブル装置またはその他のデバイス上で実行される命令がフローチャートまたはブロック図あるいはその両方の１つまたは複数のブロックで規定されている機能／動作を実装するようにコンピュータ実装処理を提供するために、コンピュータ、その他のプログラマブル・データ処理装置、またはその他のデバイスにロードされ、コンピュータ、その他のプログラマブル装置、またはその他のデバイス上で一連の動作ステップを実行させるものであってもよい。
【０１１６】
図面中のフローチャートおよびブロック図は、本発明の様々な実施形態によるシステム、方法およびコンピュータ・プログラム製品の可能な実装形態のアーキテクチャ、機能および動作を示す。なお、フローチャートまたはブロック図の各ブロックは、規定されている論理機能を実装するための１つまたは複数の実行可能命令を含む、命令のモジュール、セグメント、または部分を表すことがある。いくつかの代替の実装形態では、ブロックに記載されている機能は、図に記載されている順序とは異なる順序で行われてもよい。例えば、連続して示されている２つのブロックは、関与する機能に応じて、実際には実質的に同時に実行されてよく、またはそれらのブロックは場合によっては逆の順序で実行されてもよい。また、ブロック図またはフローチャート図あるいはその両方の図の各ブロック、およびブロック図またはフローチャート図あるいはその両方の図のブロックの組合せは、規定されている機能または動作を実行する特殊目的ハードウェア・ベースのシステムによって実装されるか、または特殊目的ハードウェアとコンピュータ命令との組合せを実施することができることに留意されるだろう。
【０１１７】
上記に加えて、１つまたは複数の態様は、顧客環境の管理を提供するサービス・プロバイダによって、供給、提供、配備、管理、保守などが行われてよい。例えば、サービス・プロバイダは、１または複数の顧客のために１つまたは複数の態様を実行するコンピュータ・コードまたはコンピュータ・インフラストラクチャあるいはその両方の作成、維持、サポートなどを行うことができる。その見返りとして、サービス・プロバイダは、例えば会員登録または委託契約あるいはその両方に基づいて顧客から支払いを受け取ってもよい。これに加えて、またはこれに代えて、サービス・プロバイダは、１つまたは複数の第三者に対する広告コンテンツの販売による支払いを受け取ってもよい。
【０１１８】
一態様では、１つまたは複数の実施形態を実行するためにアプリケーションが配備されてもよい。一例として、アプリケーションの配備は、１つまたは複数の実施形態を実行するように動作可能なコンピュータ命令を提供することを含む。
【０１１９】
他の態様として、コンピューティング・システムにコンピュータ可読コードを組み込むことを含むコンピューティング・インフラストラクチャが配備されてもよく、コードはコンピューティング・システムと組み合わさって１つまたは複数の実施形態を実行することができる。
【０１２０】
さらに他の態様として、コンピュータ可読コードをコンピュータ・システムに組み込むことを含む、コンピューティング・インフラストラクチャを組み込むためのプロセスを提供することができる。コンピュータ・システムは、コンピュータ可読媒体を含み、コンピュータ媒体は１つまたは複数の実施形態を含む。コードはコンピュータ・システムと組み合わさって１つまたは複数の実施形態を実行することができる。
【０１２１】
以上、様々な実施形態について説明したが、これらは例に過ぎない。例えば、１つまたは複数の実施形態を組み込み、使用するために、他のアーキテクチャのコンピューティング環境を使用することができる。また、異なる命令、命令形式、命令フィールドまたは命令値あるいはその組合せを使用してもよい。多くの変形態様が可能である。
【０１２２】
また、他の種類のコンピューティング環境も利益を得ることができ、使用することができる。一例として、システム・バスによってメモリ要素に直接または間接的に結合された少なくとも２つのプロセッサを含む、プログラム・コードを記憶または実行あるいはその両方を行うのに適合するデータ処理システムが使用可能である。メモリ要素は、例えば、プログラム・コードの実際の実行中に使用されるローカル・メモリと、大容量ストレージと、実行時に大容量ストレージからコードを取り出す必要がある回数を削減するために少なくとも一部のプログラム・コードの一時的記憶を提供するキャッシュ・メモリとを含む。
【０１２３】
入出力またはＩ／Ｏデバイス（キーボード、ディスプレイ、ポインティング・デバイス、ＤＡＳＤ、テープ、ＣＤ、ＤＶＤ、サム・ドライブ、およびその他のメモリ媒体などを含むがこれらには限定されない）を、直接、または介在するＩ／Ｏコントローラを介してシステムに結合することができる。データ処理システムが、介在するプライベート・ネットワークまたはパブリック・ネットワークを介して他のデータ処理システムまたはリモート・プリンタまたはストレージ・デバイスに結合されることができるようにするために、ネットワーク・アダプタもシステムに結合することができる。モデム、ケーブル・モデム、およびＥｔｈｅｒｎｅｔカードが、利用可能な種類のネットワーク・アダプタのほんの一例である。
【０１２４】
本明細書で使用されている用語は、特定の実施形態を説明することのみを目的としたものであり、限定的であることを意図したものではない。本明細書で使用されている単数形の「ａ」、「ａｎ」および「ｔｈｅ」は、文脈が明確に他の解釈を示していない限り複数形も含むことを意図している。また、「含んでいる（ｃｏｍｐｒｉｓｅｓ）」または「含む（ｃｏｍｐｒｉｓｉｎｇ）」あるいはその両方の用語が本明細書で使用されている場合、記載されている特徴、整数、ステップ、動作、要素または構成要素あるいはその組合せの存在を規定するが、１つまたは複数の他の特徴、整数、ステップ、動作、要素または構成要素あるいはこれらのグループの存在または追加を排除しないことを理解されたい。
【０１２５】
添付の特許請求の範囲のすべてのミーンズまたはステップ・プラス・ファンクション要素の対応する構造、材料、動作および均等物は、もしある場合、具体的に特許請求されている他の特許請求対象要素と組み合わせて機能を実行するための任意の構造、材料または動作を含むことを意図している。例示および説明を目的として１つまたは複数の実施形態の説明を示したが、網羅的であること、または、開示されている形態に限定することを意図したものではない。当業者には多くの変更および変形態様が明らかであろう。これらの実施形態は、様々な態様および実際の適用を最もよく説明するためと、当業者が、企図された特定の用途に適合するように様々な変更を加えた様々な実施形態を理解することができるようにするために選択し、説明した。
【図１】
2019530097.tif 000003
【図２】
2019530097.tif 000004
【図３】
2019530097.tif 000005
【図４】
2019530097.tif 000006
【図５】
2019530097.tif 000007
【図６】
2019530097.tif 000008
【図７】
2019530097.tif 000009
【図８】
2019530097.tif 000010
【図９】
2019530097.tif 000011
【図１０】
2019530097.tif 000012
【図１１】
2019530097.tif 000013
【図１２】
2019530097.tif 000014
【図１３】
2019530097.tif 000015
【図１４】
2019530097.tif 000016
【図１５】
2019530097.tif 000017
【図１６】
2019530097.tif 000018
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
コンピューティング環境内での処理を容易にするためのコンピュータ・プログラムであって、
プロセッサに、
実行のために命令を取得することであり、前記命令はシフトおよび除算演算を行うものである、前記取得することと、
前記命令を実行することと、を実行させるためのものであり、前記実行は、
値を指定された方向に選択された量だけシフトして被除数を与えることであり、前記選択された量はユーザ定義される、前記与えることと、
前記被除数を除数で除算して商を求めることと、
前記商の少なくともサブセットを結果として選択することと、
前記結果を選択された場所に入れることと、を含み、前記結果は、前記コンピューティング環境内での処理において使用されることになる、コンピュータ・プログラム。
【請求項２】
前記値は１０進整数であり、前記商の前記少なくともサブセットは、前記商の選択された数の桁であり、前記選択された数の桁はいくつかの整数桁といくつかの小数桁とを含む、請求項１に記載のコンピュータ・プログラム。
【請求項３】
前記実行は、
前記結果の符号を決定することと、
前記符号を前記選択された場所に含めることと
をさらに含む、請求項１に記載のコンピュータ・プログラム。
【請求項４】
前記符号の決定は、前記命令によって与えられる制御を調べることを含む、請求項３に記載のコンピュータ・プログラム。
【請求項５】
前記制御は、前記命令のマスク・フィールドで与えられる、請求項４に記載のコンピュータ・プログラム。
【請求項６】
前記実行は、
前記命令の１つまたは複数のフィールドから前記値を取得することと、
前記値の妥当性を検証することと、
前記検証が前記値が有効であることを示すことに基づいて前記シフトを実行することと
をさらに含む、請求項１に記載のコンピュータ・プログラム。
【請求項７】
前記指定された方向は左である、請求項１に記載のコンピュータ・プログラム。
【請求項８】
前記実行は、前記命令のフィールドから前記選択された量を取得することをさらに含む、請求項１に記載のコンピュータ・プログラム。
【請求項９】
前記選択された場所はレジスタであり、前記レジスタは前記命令の少なくとも１つのフィールドを使用して指定される、請求項１に記載のコンピュータ・プログラム。
【請求項１０】
前記少なくとも１つのフィールドは、レジスタ番号を指定するレジスタ・フィールドと、前記レジスタ番号に付加される拡張値を指定する拡張フィールドとを含む、請求項９に記載のコンピュータ・プログラム。
【請求項１１】
コンピューティング環境内での処理を容易にするためのコンピュータ・システムであって、
メモリと、
前記メモリと通信するプロセッサと、を含み、前記コンピュータ・システムは方法を実行するように構成され、前記方法は、
実行のために命令を取得することであり、前記命令はシフトおよび除算演算を行うものである、前記取得することと、
前記命令を実行することと、を含み、前記実行は、
値を指定された方向に選択された量だけシフトして被除数を与えることであり、前記選択された量はユーザ定義される、前記与えることと、
前記被除数を除数で除算して商を求めることと、
前記商の少なくともサブセットを結果として選択することと、
前記結果を選択された場所に入れることと、を含み、前記結果は、前記コンピューティング環境内での処理において使用されることになる、コンピュータ・システム。
【請求項１２】
コンピューティング環境内での処理を容易にするコンピュータ実装方法であって、
少なくとも１つのプロセッサによって実行のために命令を取得することであり、前記命令はシフトおよび除算演算を行うものである、前記取得することと、
前記命令を実行することと、を含み、前記実行は、
値を指定された方向に選択された量だけシフトして被除数を与えることであり、前記選択された量はユーザ定義される、前記与えることと、
前記被除数を除数で除算して商を求めることと、
前記商の少なくともサブセットを結果として選択することと、
前記結果を選択された場所に入れることと、を含み、前記結果は、前記コンピューティング環境内での処理において使用されることになる、コンピュータ実装方法。
【国際調査報告】
2019530097.tif 000019
2019530097.tif 000020
2019530097.tif 000021